(57)【要約】【課題】吹き抜け部を利用して下階の空間に外部の新鮮な空気を取り入れたり、上下階で空気を循環させることができる建物を提供する。【解決手段】下階（１階）から上階（２階）に吹き抜ける吹き抜け部１１，１２が水平方向に離間して設けられており、これら吹き抜け部１１，１１の下部は、下階に設けられた仕切壁のないオープン空間１に連通しており、このオープン空間１は建物外壁に設けられた開口部（窓）６，７，８，９，１０に面している。したがって、吹き抜け部１１，１２を利用して下階の空間に外部の新鮮な空気を取り入れたり、上下階で空気を循環させることができる。【選択図】図１
2006219834.tif 000002
【特許請求の範囲】
【請求項１】
下階から上階に吹き抜ける吹き抜け部が水平方向に離間して複数設けられており、これら吹き抜け部の下部は、下階に設けられた仕切壁のないオープン空間に連通しており、このオープン空間は建物外壁に設けられた開口部に面していることを特徴とする建物。
【請求項２】
請求項１に記載の建物において、
前記吹き抜け部の下部は、建物外壁に設けられた開口部に面していることを特徴とする建物。
【請求項３】
請求項１または２に記載の建物において、
少なくとも一つの吹き抜け部には、上階から下階に至る階段が設けられていることを特徴とする建物。
【請求項４】
請求項１〜３のいずれか一項に記載の建物において、
吹き抜け部が二つ設けられており、
前記オープン空間は、平面視略矩形状に形成された第１空間と、この第１空間の対角部にそれぞれ設けられて、前記第１空間より小さい第２空間および第３空間とから構成されており、
一方の前記吹き抜け部の下部は前記第２空間に連通しており、他方の前記吹き抜け部の下部は前記第３空間に連通していることを特徴とする建物。
【請求項５】
請求項４に記載の建物において、
前記第１空間と第２空間とによって平面視略Ｌ型状のＬ型空間が形成されており、このＬ型空間の内角部を構成する直角に配置された外壁のそれぞれには、開口部が設けられていることを特徴とする建物。
【発明の詳細な説明】
【技術分野】
【０００１】
本発明は、建物に係り特に吹き抜け部を有するものに関する。
【背景技術】
【０００２】
吹き抜け部を有する建物の一例として、特許文献１に記載のものが知られている。この特許文献１に記載されている建物では、玄関及び玄関土間のうちの少なくとも玄関土間の上方空間が、上階への吹き抜け部とされており、これによって、玄関土間を含む玄関領域の開放感を高めている。
【特許文献１】特開２００２−４７８１３号公報
【発明の開示】
【発明が解決しようとする課題】
【０００３】
ところで、上記のような建物では、吹き抜け部を空気が通過することによって上下階の間で空気を流通させることができるが、吹き抜け部は玄関土間に設けられているので、玄関を開けた際に流入する外部の新鮮な空気は、下階の他の空間に行き渡り難い。
また、上階の窓等を開けることによって外部から流入した新鮮な空気を、吹き抜け部を通過して下階の玄関土間に取り入れることはできるが、この空気も下階の他の空間に行き渡り難い。
つまり、上記のような建物は吹き抜け部を有してはいるが、この吹き抜け部を利用して下階の空間に外部の新鮮な空気を取り入れたり、上下階で空気を循環させるようなことは困難であった。
【０００４】
本発明は上記事情に鑑みてなされたもので、吹き抜け部を利用して下階の空間に外部の新鮮な空気を取り入れたり、上下階で空気を循環させることができる建物を提供することを課題としている。
【課題を解決するための手段】
【０００５】
上記課題を解決するために、請求項１に記載の発明は、例えば図１〜図３に示すように、下階（１階）から上階（２階）に吹き抜ける吹き抜け部１１，１２が水平方向に離間して複数設けられており、これら吹き抜け部１１，１１の下部は、下階に設けられた仕切壁のないオープン空間１に連通しており、このオープン空間１は建物外壁に設けられた開口部（窓）６，７，８，９，１０に面していることを特徴とする。
【０００６】
ここで、仕切壁のないオープン空間とは、床から天井まで達する仕切壁のない空間のことを意味しており、例えば、腰壁や下り壁等があっても仕切壁がなければよい。
【０００７】
請求項１に記載の発明によれば、オープン空間１に吹き抜け部１１，１２が複数離間して設けられているので、建物外壁に設けられた開口部６，７，８，９，１０から流入した外部の新鮮な空気は、オープン空間１に行き渡るとともに、複数の吹き抜け部１１，１２を通って上階に行き渡る。
また、上階の窓３０〜３５等から流入した外部の新鮮な空気は、複数の吹き抜け部１１，１２を通って下階のオープン空間１に行き渡る。
さらに、吹き抜け部１１，１２が複数あるので、これら吹き抜け部１１，１２を通して上下階で空気を循環させることができる。
したがって、複数の吹き抜け部１１，１２を利用して下階の空間に外部の新鮮な空気を取り入れたり、上下階で空気を循環させることができる。
【０００８】
請求項２に記載の発明は、請求項１に記載の建物において、
前記吹き抜け部１１，１２の下部は、建物外壁に設けられた開口部（窓）８，９，１０に面していることを特徴とする。
【０００９】
請求項２に記載の発明によれば、吹き抜け部１１，１２の下部が、建物外壁に設けられた開口部８，９，１０に面しているので、この開口部８，９，１０から流入した外部の新鮮な空気が吹き抜け部１１，１２を通って上階へと行き渡るとともに、オープン空間１にも行き渡る。
【００１０】
請求項３に記載の発明は、請求項１または２に記載の建物において、
少なくとも一つの吹き抜け部１２には、上階から下階に至る階段１３が設けられていることを特徴とする。
【００１１】
請求項３に記載の発明によれば、少なくとも一つの吹き抜け部１２に階段１３を設けたので、別途階段設置用の階段室を設けることがなく、空間の有効利用を図ることができる。
【００１２】
請求項４に記載の発明は、請求項１〜３のいずれか一項に記載の建物において、
吹き抜け部１１，１２が二つ設けられており、
前記オープン空間１は、平面視略矩形状に形成された第１空間２と、この第１空間２の対角部にそれぞれ設けられて、前記第１空間２より小さい第２空間３および第３空間４とから構成されており、
一方の前記吹き抜け部１１の下部は前記第２空間３に連通しており、他方の前記吹き抜け部１２の下部は前記第３空間４に連通していることを特徴とする。
【００１３】
請求項４に記載の発明によれば、オープン空間１が、平面視略矩形状に形成された第１空間２と、この第１空間２の対角部にそれぞれ設けられた第２空間３および第３空間４とから構成されているので、第２空間３と第３空間４とが最も離間することになり、一方の吹き抜け部１１の下部が第２空間３に連通しており、他方の吹き抜け部１２の下部が第３空間４に連通しているので、第１空間２から第２空間３および第３空間４、これら第２空間３および第３空間４から吹き抜け部１１，１２へと空気が流れ易くなり、滞留することがないので、空調的に優れたものとなる。
【００１４】
請求項５に記載の発明は、請求項４に記載の建物において、
前記第１空間２と第２空間３とによって平面視略Ｌ型状のＬ型空間が形成されており、このＬ型空間の内角部を構成する直角に配置された外壁のそれぞれには、開口部（窓）７，９が設けられていることを特徴とする。
【００１５】
請求項５に記載の発明によれば、Ｌ型空間の内角部を構成する直角に配置された外壁のそれぞれに開口部７，９が設けられているので、一方の開口部７から第１空間２に外部の新鮮な空気が流入し、他方の開口部９から第２空間３に外部の新鮮な空気が流入する。したがって、内角部に入ってきた空気を素早く第１空間２および第２空間３に取り入れることができ、さらに、第１空間２に流入してきた空気を第３空間４へと行き渡らせることができる。
【発明の効果】
【００１６】
本発明によれば、下階から上階に吹き抜ける吹き抜け部が水平方向に離間して複数設けられており、これら吹き抜け部の下部は、下階に設けられた仕切壁のないオープン空間に連通しており、このオープン空間は建物外壁に設けられた開口部に面しているので、この開口部から流入した外部の新鮮な空気は、オープン空間に行き渡るとともに、複数の吹き抜け部を通って上階に行き渡り、また、上階の窓等から流入した外部の新鮮な空気は、複数の吹き抜け部を通って下階のオープン空間に行き渡り、さらに、吹き抜け部が複数あるので、これら吹き抜け部を通して上下階で空気を循環させることができる。
したがって、複数の吹き抜け部を利用して下階の空間に外部の新鮮な空気を取り入れたり、上下階で空気を循環させることができる。
【発明を実施するための最良の形態】
【００１７】
以下、図面を参照して本発明の実施の形態について説明する。
図１は本発明に係る建物の１階の平面図、図２は２階の平面図、図３は建物の正面図、図４は建物の背面図である。
本実施の形態の建物は、２階建てであり、周知のパネル工法によって構築されている。なお、パネル工法は、床パネル、壁パネル、屋根パネル等の建築用パネルを予め工場等で製造しておき、これら建築用パネルを現場で基礎上に組み立てることによって建物を構築する工法である。
【００１８】
図１において、符号１はオープン空間を示す。このオープン空間１は、仕切壁のない広い空間であり、中央部に配置された第１空間２と、第１空間２に隣接して配置された第２空間３および第３空間４によって構成されている。
第１空間２は、平面視矩形状に形成されており、居間２ａと台所２ｂとなっている。台所２ｂは西側に配置されており、居間２は台所２ｂの東側に配置されている。また、居間２ａと台所２ｂとは仕切られておらず、台所２ｂはいわゆるオープンキッチンとなっている。
【００１９】
第２空間３および第３空間４は、平面視において、第１空間２の対角部にそれぞれ設けられており、第１空間２より小さくなっている。
第２空間３は平面視矩形状に形成されており、食堂となっている。また、第３空間４は平面視矩形状に形成されており、ホールとなっている。
前記第１空間２を形成する西側の外壁５ａには、窓（開口部）６が設けられており、南側の外壁５ｂには、掃出し窓（開口部）７が設けられている。この掃出し窓７は図３にも示すように、フルオープン式のサッシ窓となっており、左右に大きく開口するようになっている。
前記第２空間３を構成する南側の外壁５ｃと東側の外壁５ｄには、それぞれ窓８，９が設けられている。窓８，９は掃出し窓となっている。
前記第３空間４を構成する北側の外壁５ｅには、窓１０が設けられている。この窓１０は図４に示すように地窓となっている。
【００２０】
建物内には図２に示すように１階（下階）から２階（上階）に吹き抜ける吹き抜け部１１，１２が水平方向に離間して設けられている。吹き抜け部１１，１２は平面視においてオープン空間１の対向する部位に設けられており、吹き抜け部１１の下部は前記第２空間３と連通している。つまり、食堂とされた第２空間３の上方は２階の天井まで吹き抜けている。また、吹き抜け部１１の下部は、前記窓（開口部）８，９に面している。
吹き抜け部１２の下部は前記第３空間４と連津している。つまり、ホールとされた第３空間４の上方は、２階の天井まで吹き抜けている。そして、この吹き抜け部１２には１階から２階に至るらせん階段１３が設けられている。また、吹き抜け部１２の下部は、前記窓（開口部）１０に面している。
【００２１】
また、前記第１空間２と第３空間４とによって、平面視略Ｌ型状のＬ型空間が形成されており、このＬ型空間の内角部を構成する直角に配置された外壁５ｂ，５ｄのそれぞれには、前記窓（開口部）７，９が設けられている。また、外壁５ｂ，５ｄの前方には、デッキが設けられるようになっている。
【００２２】
さらに、１階においては、北西角部に収納室１４が設けられ、この収納室１４の東側に洗面室１５が設けられている。また、前記オープン空間１の東側には、和室１６が設けられており、この和室１６の南側に玄関１７が設けられている。また、玄関ポーチ１７ａの南側には外部収納１９が設けられており、この外部収納１９には玄関ポーチ１７から物を出し入れできるようになっている。
【００２３】
また、２階においては、部屋２０，２１，２２が東西に連設して配置されており、部屋２２の南側に前記吹き抜け部１１が設けられ、部屋２１の北側に廊下２３を挟んで前記吹き抜け部１２が設けられている。
吹き抜け部１１に面している内壁２４には、窓２５設けられており、この窓２５を介して、吹き抜け部１１と部屋２５が連通している。
また、吹き抜け部１２に面している廊下２３には、手摺２６が設けられており、この手摺２６の上部空間を介して、吹き抜け部１２と廊下２３とが連通している。
【００２４】
また、部屋２０，２１，２２には、それぞれの扉２０ａ，２１ａ，２２ａを介して、前記廊下２３に連通しており、扉２０ａ，２１ａ，２２ａはそれを閉じた状態においても、扉２０ａ，２１ａ，２２の下端と床との間の隙間や、扉２０ａ，２１ａ，２２ａに設けられた通気孔を介して、部屋２０，２１，２２と廊下２３とで空気が流通可能となっている。
部屋２２の北側には、浴室２７，洗面室２８が設けられており、部屋２０の南側にはルーフバルコニー２９が設けられている。このルーフバルコニー２９の先端部は１階の玄関ポーチ１７ａに設けられた外部収納１９を形成する壁部によって下方から支持されている。また、ルーフバルコニー１９と部屋２０とを仕切る外壁には、掃出し窓３０が設けられており、部屋２０の東側の外壁には窓３１が設けられている。
さらに、部屋２１の南側の外壁には窓３２が設けられており、部屋２２の西側の外壁には窓３３が設けられている。
また、前記吹き抜け部１１の南側の外壁には、丸型の窓３４が設けられており、吹き抜け部１２の北側の外壁には、窓３５が設けられている。
また、吹き抜け部１１の上方には、天窓３６が屋根に設けられており、吹き抜け部１２の上方には、天窓３７が屋根に設けられている。さらに、２階の洗面室２８の上方には天窓３８が屋根に設けられている。これら天窓３６，３７，３８は電動によって開閉できるようになっている。
【００２５】
上記構成の建物では、１階の窓６〜１０から流入した外部の新鮮な空気は、オープン空間１に行き渡るとともに、吹き抜け部１１，１２を通って２階に行き渡る。特に、窓６，７から流入した空気は、第１空間２に行き渡った後、吹き抜け部１１，１２を通って２階に行き渡る。また、窓８，９から流入した空気は、食堂となっている第２空間３に行き渡るとともに、吹き抜け部１１を通って２階に行き渡る。さらに、窓１０から流入した空気は、ホールとなっている第３空間４に行き渡るとともに、吹き抜け部１２を通って２階に行き渡る。
一方、２階の窓３０〜３５から流入してきた外部の新鮮な空気は、廊下２３や扉２０ａ，２１ａ，２２の下端と床との間の隙間、扉２０ａ，２１ａ，２２ａに設けられた通気孔等を介して２階全体に行き渡るとともに、吹き抜け部１１，１２を通って１階のオープン空間１に行き渡る。
しかも、１階と２階とで、吹き抜け部１１，１２を通して空気が循環する。
したがって、２つの吹き抜け部１１，１２を利用して１階および２階の空間に外部の新鮮な空気を取り入れたり、上下階で空気を循環させることができる。
【００２６】
また、吹き抜け部１１，１２の下部が、建物外壁に設けられた窓（開口部）８，９、１０に面しているので、これら窓８，９、１０から流入した外部の新鮮な空気が吹き抜け部１１，１２を通って上階へと行き渡るとともに、オープン空間１にも行き渡る。
【００２７】
さらに、オープン空間１が、平面視略矩形状に形成された第１空間２と、この第１空間２の対角部にそれぞれ設けられた第２空間３および第３空間４とから構成されているので、第２空間３と第３空間４とが最も離間することになり、一方の吹き抜け部１１の下部が第２空間３に連通しており、他方の吹き抜け部１２の下部が第３空間４に連通しているので、第１空間１から第２空間３および第３空間４、これら第２空間３および第３空間４から吹き抜け部１１，１２へと空気が流れ易くなり、滞留することがないので、空調的に優れたものとなる。
また、第１空間２と第２空間３とによって形成された平面視Ｌ型空間の内角部を構成する直角に配置された外壁のそれぞれに開口部（窓）７，９が設けられているので、一方の開口部７から第１空間２に外部の新鮮な空気が流入し、他方の開口部９から第２空間３に外部の新鮮な空気が流入する。したがって、内角部に入ってきた空気を素早く第１空間２および第２空間３に取り入れることができ、さらに、第１空間２に流入してきた空気を第３空間へと行き渡らせることができる。
さらに、吹き抜け部１２にらせん階段１３を設けたので、別途階段設置用の階段室を設けることがなく、空間の有効利用を図ることができる。
また、吹き抜け部１１の上部の屋根に天窓３６を設け、吹き抜け部１２の上部の屋根の天窓３７を設けたので、これら天窓３６，３７を開閉することによって、吹き抜け部１１，１２を通る空気の流れを制御できる。例えば、天窓１１，１２を開けることによって、建物内の暑い空気を上方に抜き取ることができるとともに、この上昇気流に促進されて建物内の空気が動かして、空気が滞留するのを防止できる。
【図面の簡単な説明】
【００２８】
【図１】本発明に係る建物の一例を示すもので、１階の平面図である。
【図２】同、２階の平面図である。
【図３】同、建物の正面図である。
【図４】同、建物の背面図である。
【符号の説明】
【００２９】
１  オープン空間
２  第１空間
３  第２空間
４  第３空間
６〜１０  窓（開口部）
１１，１２  吹き抜け部
１３  らせん階段（階段）
【図１】
2006219834.tif 000003
【図２】
2006219834.tif 000004
【図３】
2006219834.tif 000005
【図４】
2006219834.tif 000006